(57)【要約】【課題】キーを備えた非接触ＩＣカードであって、カード所持者が任意のアプリケーションを自ら選択することが可能な非接触ＩＣカードを提供する。【解決手段】一ないし複数のキーを備え、該キーの入力状況によって非接触ＩＣカードに格納されているアプリケーションを選択することを特徴とし、前記一ないし複数のキーが押された場合に限り、非接触ＩＣカードの機能が利用出来ることを特徴とし、前記一ないし複数のキーが押されたキーの種類によって、非接触ＩＣカードが返信するデータを選択することを特徴とする非接触ＩＣカード。【選択図】図２
2010122940.tif 000002
【特許請求の範囲】
【請求項１】
一ないし複数のキーを備え、該キーの入力状況によって非接触ＩＣカードに格納されているアプリケーションを選択することを特徴とする非接触ＩＣカード。
【請求項２】
前記一ないし複数のキーが押された場合に限り、非接触ＩＣカードの機能が利用出来ることを特徴とする請求項１記載の非接触ＩＣカード。
【請求項３】
前記一ないし複数のキーが押されたキーの種類によって、非接触ＩＣカードが返信するデータを選択することを特徴とする請求項１ないし２記載の非接触ＩＣカード。
【発明の詳細な説明】
【技術分野】
【０００１】
本発明は、複数アプリケーションが格納されている非接触ＩＣカードにおいて、カード所有者がカードに格納されているアプリケーションを選択する非接触ＩＣカードに関するものである。
【背景技術】
【０００２】
従来、複数のアプリケーションが格納されている非接触ＩＣカードにおいて、アプリケーションの選択を行う際、非接触ＩＣカードを読み取る端末側の処理に依存しており、非接触ＩＣカードを読み取る端末側で認識できるアプリケーションが自動的に選択されたり、固定のアプリケーションが選択されている。ここで云う非接触ＩＣカードに格納されているアプリケーションとは、例えば電子マネー１、電子マネー２、電子マネー３といったアプリケーションを示す。
【０００３】
カード所持者はアプリケーションの選択を行う場合には、非接触ＩＣカードを読み取る複数台設置された端末の中から該当するアプリケーションの端末を選択したり、端末側の表示画面に従いアプリケーションを選択しなければならない。このためカード所有者にとっては、端末の選択や表示画面での操作が煩雑であったりする。また、アプリケーション選択画面を表示する表示機能を持った端末を用意する必要があったり、非接触ＩＣカードを読み取る端末を複数台設置しなければならないため、設置場所や費用面などで問題がある。
【０００４】
また、従来非接触ＩＣカードは端末からの命令に対して、決まった処理をして応答を返信するため、非接触ＩＣカードが返信する内容を選択することができない。
【０００５】
また、非接触ＩＣカードにおいて、カード所持者が意図しない場合にでも非接触ＩＣカード内のデータが読み取られてしまういわゆるスキミングの可能性があった。
【０００６】
従来から表示部とキー入力部分が設けられ非接触ＩＣカードが提案されているが、いずれもアプリケーションの選択用ではなく、表示部分面積の拡大化を行うためにキー入力部分を半透明化するといったもの（特許文献１）や、表示部やキーの位置に関するもの（特許文献２）や、暗証番号を照合するために、暗証番号を入力した結果を記憶しておき，実際にＡＴＭ（Ａｕｔｏｍａｔｅｄ  Ｔｅｌｌｅｒ  Ｍａｃｈｉｎｅ：現金自動預け払い機）などの端末に非接触ＩＣカードをセットした時には、記憶されている情報を使用し、端末からの応答に返信するというもの（特許文献３）である。
【０００７】
従って、アプリケーションをカード保持者が自ら選択できるものではなく、また返信する内容を選択できるものでもない。
【特許文献１】特開昭６３−２５７６９３号公報
【特許文献２】特開平４−８１９８９号公報
【特許文献３】特許第２５６２４８２号公報
【発明の開示】
【発明が解決しようとする課題】
【０００８】
上記問題を解決するために、キーを備えた非接触ＩＣカードであって、カード所持者が任意のアプリケーションを自ら選択することが可能な非接触ＩＣカードを提供することを課題とする。
【課題を解決するための手段】
【０００９】
本発明の請求項１に係る発明は、一ないし複数のキーを備え、該キーの入力状況によって非接触ＩＣカードのアプリケーションを選択することを特徴とする非接触ＩＣカードである。
【００１０】
本発明の請求項２に係る発明は、前記一ないし複数のキーが押された場合に限り、非接触ＩＣカードの機能が利用出来ることを特徴とする請求項１記載の非接触ＩＣカードである。
【００１１】
本発明の請求項３に係る発明は、前記一ないし複数のキーが押されたキーの種類によって、非接触ＩＣカードが返信するデータを選択することを特徴とする請求項１ないし２記載の非接触ＩＣカードである。
【発明の効果】
【００１２】
従来は非接触ＩＣカードを読み取る複数台設置された端末の中から該当するアプリケーションの端末を選択したり、端末側の表示画面に従いアプリケーションを選択しなければならなかったが、本発明によれば、キーを備えた非接触ＩＣカードを使用することで、カード所持者が、非接触ＩＣカードに格納されている複数のアプリケーションの中から任意にアプリケーションを選択することが出来、また、キーが押されていない場合には、非接触ＩＣカードの機能が停止（厳密には、無限ループなど）することもでき、特に非接触ＩＣカードに有効なスキミング防止が期待できる。
【００１３】
更に、端末側からの命令に対して、その命令が二者択一または三者択一のような質問であった場合、キーを押すことでカード所持者が選択した応答をすることも可能となる。
【発明を実施するための最良の形態】
【００１４】
以下、図面を参照して本発明に係わる非接触ＩＣカードの実施形態を説明する。図１は本発明に係わる非接触ＩＣカードの概観図であって、非接触ＩＣカード１上にキー１を１つ配置した非接触ＩＣカードの例を示し、該キーの入力状況、言い換えれば該キーが押されたか否かよって予め関連づけられたアプリケーションを選択できる。
【００１５】
図２は本発明に係わる別の非接触ＩＣカードの概観図であって、１は非接触ＩＣカード、２はキーＡ、３はキーＢ、４はキーＣの３つのキーを配置した非接触ＩＣカードの例を示し、該キーによって予め関連づけられたアプリケーションを選択できる。
【００１６】
キーが１つと３つの場合を例として説明したが、キーの数はこれに限定されるものではない。
【００１７】
このキーの例として、圧電素子のように圧電体に加えられた（圧電素子のキーを押した）力を電圧に変る方法を採用することが出来、更に従来の電気回路技術の採用によって非接触ＩＣカードのＣＰＵと接続され、ＯＳ（オペレーティングシステム）がキーが押されたことを認識し、関連づけられたアプリケーションを選択状態にする。
【００１８】
キーＡ、キーＢ、キーＣは一度押されると押されている状態が持続し、再度押されることによって押されている状態が解除されても良く、押されている場合だけ保持されるようにしても良い。押されている場合だけ保持することによって、押し忘れの心配が無くスキミング防止が期待できる。
【００１９】
図１では、キーが１つの場合であるが、キーが押されていない場合は、デフォルトのアプリケーションが選択され、キーが押された場合に限り非接触ＩＣカードの機能を使用す
ることができるように関連づけられたアプリケーションが選択される。
【００２０】
また、図２のように３つのキーがある場合には、キーが押されていない場合のアプリケーションを含めると４つのアプリケーションが選択される。
【００２１】
前記３つのキーの場合は４つのアプリケーションが選択されるが、キーが複数の場合はキーの組み合わせによって選択しても良い。例えばキーがＡとＢの２つの場合にはＡだけが押された場合、Ｂだけが押された場合、ＡもＢも押された場合、いずれも押されていない場合の４つのアプリケーションを選択しても良い。
【００２２】
またはキーが押されていない場合は、従来通りに端末側がアプリケーションを選択するようにしても良い。
【００２３】
例えば、非接触ＩＣカード内に３つまでのあらかじめ設定しておいたアプリケーション、例えば電子マネー１、電子マネー２、電子マネー３の３つのアプリケーションが格納されていた場合、図２のように複数キーが設定されている非接触ＩＣカードを用いることにより、Ａのキーが押された場合は電子機能１のアプリケーションが、Ｂのキーが押された場合は電子機能２のアプリケーションが、Ｃのキーが押された場合は電子機能３のアプリケーション選択される。何もキーが押されていない場合は、デフォルトに設定されているアプリケーションが選択されたり、従来の選択方式（端末側が非接触ＩＣカードにどのようなアプリケーションが搭載されているか順次調べて、端末が選択できるアプリケーションを探す）によりアプリケーションを選択したり、キーが押されていないことで非接触ＩＣカードは動作しないように設定する。
【００２４】
更に、アプリケーション選択とは別に、端末側からの命令に対して、キーを押すことにより通常とは異なった、例えば、どのキーが押されたかというデータを返信するようにすることも出来る。
【００２５】
このようにすることで、端末側の命令、例えば、二者択一や三者択一などのようにカード所持者に対して質問を投げかけるような命令に対して、キーを押すことでその質問に答えることが出来る。
【００２６】
例えば、端末側がカード所持者に対して、アンケートにＹＥＳかＮＯで答えるような質問をしたい場合、図２のような複数キーが設置されている非接触ＩＣカードでは、ＹＥＳの場合はＡキーを、ＮＯの場合はＢキーをという質問を非接触ＩＣカードに送信し、その命令に対してどちらのキーが押されたかという返信を非接触ＩＣカードが端末に送信することで質問に答える。
【００２７】
次に、アプリケーション選択および応答を選択する場合の一例について、フロー図を参照して説明する。図３はアプリケーション選択のフロー図を示す。非接触ＩＣカードのＰＯＷＥＲをＯＮすると（Ｓ１）、キーが押されたかの確認を行い（Ｓ２）、キーが押されない場合（Ｓ２のＮＯ）に停止機能がサポートされているかを確認し、サポートされている場合（Ｓ３のＹＥＳ）、ＩＣカードの動作を停止（Ｓ４）、つまり端末側からの命令に対して何も返信しないようにしたり、ＩＣカードが自ら無限ループに入り、あたかも動作していないかのようにしたりして終了する（Ｓ５）。一方、停止機能がない場合（Ｓ３のＮＯ）には、端末側からの命令の受信待機状態に入り（Ｓ６）、端末側からのアプリケーション選択命令を受信した場合、従来通りアプリケーション選択手順に従い、データを返信し（Ｓ７）、従来の非接触ＩＣカードのように使用することが出来る。この従来の手順とは、例えば、クレジットカードなどで一般的に用いられる部分指定選択法であるパーシャルＤＦ（Ｄａｔａ  Ｆｉｌｅ）名選択で逐次アプリケーション名を端末側が取得していき、端末が選択できるアプリケーションがあった場合に、それを選択する方法だったり、端末が認識できる固定のアプリケーションを選択していく方法だったりする。
【００２８】
一方、キーが押されたかの確認の際に、キーが押された場合（Ｓ２のＹＥＳ）、端末側からの命令の受信待機状態に入り、端末側からのアプリケーション選択命令を受信した場合（Ｓ８）、キーにあらかじめ設定されているアプリケーション用のデータを返信し（Ｓ９）、該当のアプリケーションが選択され（Ｓ１０）、アプリケーション選択が終了する（Ｓ１１）。
【００２９】
次に、応答を選択する場合についてキー種類がＡとＢの場合を例に図４を用いて説明する。応答を選択開始（Ｓ２１）後、端末側から命令を受信した場合（Ｓ２２）、その命令が質問だった場合、例えば、答えが「はい」または「いいえ」で答えられる二者択一のような質問であるとき（Ｓ２３）、キーが押されたかを確認し（Ｓ２４）、押されていない場合（ＮＯ）は、無応答にしたりデフォルトのデータを返信（Ｓ２５）して、終了する（Ｓ２９）。
【００３０】
また、キーが押された場合には（Ｓ２４のＹＥＳ）、押されたキーにより異なったデータを返信する。押されたキー種類がＡの場合はデータＡを返信し（Ｓ２７）、押されたキー種類がＢの場合はデータＢを返信（Ｓ２８）して終了する（Ｓ２９）。データＡでもなく、データＢでもなく、単に押されたキーの種別を返信するだけでも良い。
【００３１】
図４では、キー種類がＡとＢの２種類で、返信するデータがデータＡとデータＢの場合を例として説明したが、図示していないが、ＡとＢの両方のキーが押された場合はデータＣを返信するようにしても良い。
【００３２】
本発明によれば、一ないし複数のキーを備えた非接触ＩＣカードを使用することで、カード所持者が、非接触ＩＣカードに格納されている複数のアプリケーションの中から任意にアプリケーションを選択することができるようになり、更に端末側からの命令に対して、その命令が二者択一或るいは三者択一のような質問であった場合、キーを押すことでその質問に答えたりすることもできる。また、キーが押されない場合、非接触ＩＣカードの機能が停止（厳密には、無限ループなど）する仕組みを設けることで、特に非接触ＩＣカードに有効なスキミング防止が期待できる。
【図面の簡単な説明】
【００３３】
【図１】本発明に係わる非接触ＩＣカードの概観図で、キーが１個の場合を示す
【図２】本発明に係わる非接触ＩＣカードの概観図で、キーが３個の場合を示す。
【図３】本発明に係るアプリケーション選択のフロー図を示す。
【図４】本発明に係る応答を選択する場合のフロー図を示す
【符号の説明】
【００３４】
１・・・非接触ＩＣカード
２・・・キー１
３・・・キー２
４・・・キー３
【図１】
2010122940.tif 000003
【図２】
2010122940.tif 000004
【図３】
2010122940.tif 000005
【図４】
2010122940.tif 000006